(57)【要約】【課題】簡便な操作でバルブ機構を開閉して中空筒部の水貯留部内に水を充填し、更に穂先に水を容易に供給できる水筆ペンを提供する。【解決手段】後端に位置する開口、先端に位置する通水孔、及び前記開口と前記通水孔との間に位置する水貯留部を備える中空筒体と、前記後端に配設されたノックにより開閉自在なバルブ機構を有する操作部と、前記中空筒体の前記先端側に配設され、前記水貯留部からの水を供給するための穂先と、を具備すること、を特徴とする水筆ペン。【選択図】図１
2019209531.tif 000002
【特許請求の範囲】
【請求項１】
後端に位置する開口、先端に位置する通水孔、及び前記開口と前記通水孔との間に位置する水貯留部を備える中空筒体と、
前記後端に配設されたノックにより開閉自在なバルブ機構を有する操作部と、
前記中空筒体の前記先端側に配設され、前記水貯留部からの水を供給するための穂先と、を具備すること、
を特徴とする水筆ペン。
【請求項２】
前記通水孔の直径が前記水貯留部の直径の１０％〜４０％の範囲であること、
を特徴とする請求項１に記載の水筆ペン。
【請求項３】
前記通水孔と前記穂先の後端とが３ｍｍ〜１０ｍｍの範囲で離間していること、
を特徴とする請求項１又は２に記載の水筆ペン。
【請求項４】
前記中空筒体において、前記先端から前記後端に向けて略円錐形部が設けられており、当該略円錐形部の先端に前記通水孔が設けられていること、
を特徴とする請求項１〜３のうちのいずれかに記載の水筆ペン。
【発明の詳細な説明】
【技術分野】
【０００１】
本発明は、水貯留部内に水を充填し、後端の操作部に対する簡便な操作によって水を穂先に供給して使用する水筆ペンに関する。
【背景技術】
【０００２】
従来、水性着色剤等の絵具を用いて絵画を描く際、専用の筆で絵具を溶いたり、パレット上で複数色を混ぜ合わせたりする作業を行って、画用紙に塗布していた。このような作業を行う場合、あらかじめ水を容器に充填しておき、この水を筆の穂先に含ませて水分補給を行っている。
【０００３】
しかし、上記従来の手法では準備が煩雑なばかりか、遠方や出先で迅速に絵画を描くことが困難なため、筆の穂先に水を容易に供給できる種々の水筆ペンが用いられている（例えば特許文献１参照）。これらの水筆ペンは、筆の内部に水を貯留し、この水を穂先に供給するものである。
【先行技術文献】
【特許文献】
【０００４】
【特許文献１】特開２０００−１０８６号公報
【発明の概要】
【発明が解決しようとする課題】
【０００５】
しかしながら、特許文献１の絵筆及び絵具セットは、筆本体の内部に充填した水を筆の後端部に配設した略蛇腹状の水供給手段を圧縮することで筆本体の内部圧を上げ、先端部から水を穂先に押し出して供給するものであり、適切な量の水を穂先に供給するための蛇腹の圧縮加減が難しい。また、筆本体の内部に水を充填するためには、筆本体の後端部の穴を狙って内部に水を注入する必要があり、操作性も良いとは言えなかった。
【０００６】
そこで、本発明は、上記問題に鑑みてなされたものであり、簡便な操作でバルブ機構を開閉して中空筒部の水貯留部内に水を充填し、更に穂先に水を容易に供給できる水筆ペンを提供することを目的とする。
【課題を解決するための手段】
【０００７】
上記の課題を解決すべく、本発明は、
後端に位置する開口、先端に位置する通水孔、及び前記開口と前記通水孔との間に位置する水貯留部を備える中空筒体と、
前記後端に配設されたノックにより開閉自在なバルブ機構を有する操作部と、
前記中空筒体の前記先端側に配設され、前記水貯留部からの水を供給するための穂先と、を具備すること、
を特徴とする水筆ペンを提供する。
【０００８】
このような構成を有する本発明の水筆ペンでは、操作部の後端部に配設されたノックに力を付加することでバルブ機構の開閉操作が可能で、水を容易に水貯留部内に充填し、更に水貯留部から出水して穂先に供給することができる。なお、絵画を描いている把持状態のまま、穂先への水の供給を行うことができるため、操作性にも優れている。更に、ノックへの力の付加時間に応じて水貯留部内の水が外部に出水されるため、使用者は簡便な操作によって穂先に所望量の水を供給することができる。
【０００９】
また、上記の本発明の水筆ペンにおいては、前記通水孔の直径が前記水貯留部の直径の１０％〜４０％の範囲であることが望ましい。
【００１０】
このような構成を有する本発明の水筆ペンでは、通水孔から空気が容易に水貯留部内に侵入できないため、操作部のバルブ機構が閉弁状態であれば、水貯留部内に貯留した水が通水孔から外部へ漏水することを好適に防止することができる。
【００１１】
また、上記の本発明の水筆ペンにおいては、前記通水孔と前記穂先の後端とが３ｍｍ〜１０ｍｍの範囲で離間していることが望ましい。
【００１２】
このような構成を有する本発明の水筆ペンでは、通水孔と穂先の後端とが好適に離間するため、通水孔近傍に位置する水が穂先の後端に接触することに起因する穂先への意図しない水の供給を防止することができる。
【００１３】
また、上記の本発明の水筆ペンにおいては、前記中空筒体において、前記先端から前記後端に向けて略円錐形部が設けられており、当該略円錐形部の先端に前記通水孔が設けられていることが望ましい。
【００１４】
このような構成を有する本発明の水筆ペンでは、通水孔と穂先の後端とが物理的により確実に離間するため、通水孔近傍に位置する水が穂先の後端に接触することに起因する穂先への意図しない水の供給を防止し、また、穂先から水貯留部への水の逆流を防止することができる。
【発明の効果】
【００１５】
上記本発明の水筆ペンを用いることにより、簡便な操作でバルブ機構を開閉して中空筒部の水貯留部内に水を充填し、更に穂先に水を容易に供給可能な水筆ペンを提供することができる。
【図面の簡単な説明】
【００１６】
【図１】本実施形態の水筆ペン１の概要を示す断面図である。
【図２】図１における中空筒体３の構造を示す図であって、図２（ａ）は、中空筒体３を軸方向Ｘに切断した断面図であり、図２（ｂ）は、図２（ａ）に示す矢視Ａの側面図であり、図２（ｃ）は、図２（ａ）に示す矢視Ｂの側面図である。
【図３】図１における穂先固定具２１の構造を示す図であって、図３（ａ）は、穂先固定具２１を軸方向Ｘに切断した断面図であり、図３（ｂ）は、図３（ａ）に示す矢視Ｃの側面図である。
【図４】図１における穂先７の構造を示す図であって、図４（ａ）は、穂先７の軸方向Ｘの断面図であり、図４（ｂ）は、図４（ａ）に示す矢視Ｄの側面図である。
【図５】図１における操作部５の構造を示す図であって、図５（ａ）は、軸方向Ｘに切断した閉弁状態の操作部５の断面図であり、図５（ｂ）は、軸方向Ｘに切断した開弁状態の操作部５の断面図である。
【図６】中空筒体３と操作部５との接続方法を示す模式図である。
【図７】中空筒体３に穂先固定部２１を用いて穂先７を固定する方法を示す図であって、図７（ａ）は、穂先固定部２１に穂先７を挿通する状態を示す模式図であり、図７（ｂ）は、穂先７を挿通させた穂先固定部２１を中空筒体３に接続する状態を示す模式図である。
【図８】本実施形態の水筆ペン１の使用方法を示す図であって、図８（ａ）は、中空筒体３から穂先７を外して水５１に先端側Ｆを浸す状態を示す模式図であり、図８（ｂ）は、水貯留部９に水５１を充填する状態を示す模式図である。
【図９】本実施形態の水筆ペン１の使用方法を示す図であって、図９（ａ）は、水５１を充填した中空筒体３の先端側Fに穂先７を固定する状態を示す模式図であり、図９（ｂ）は、操作部５のノック１１に力を付加して穂先７に水５１を供給する状態を示す模式図である。
【図１０】中空筒体１０３の構造を示す図であって、図１０（ａ）は、軸方向Ｘに切断した中空筒体１０３の断面図であり、図１０（ｂ）は、図１０（ａ）に示す矢視Ｅの側面図であり、図１０（ｃ）は、図１０（ａ）に示す矢視Ｆの側面図である。
【図１１】パッキン４４の構造を示す図であって、図１１（ａ）は、パッキン４４の穂先７側から見た平面図であり、図１１（ｂ）は、図１１（ａ）に示す矢視Ｅの断面図である。
【発明を実施するための形態】
【００１７】
以下、図面を参照しながら、本発明に係る水筆ペンの代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１８】
１．水筆ペン１の概要
図１を用いて、本実施形態に係る水筆ペン１の概要について説明する。図１は、本実施形態の水筆ペン１の概要を示す断面図である。水筆ペン１は、中空筒体３、操作部５、及び穂先７を具備するものである。中空筒体３内部の水貯留部９に水５１を充填し、操作部５の簡便な操作によってこの水５１を適宜穂先７に浸透させ、例えば水性着色剤を容易に溶いて水彩画等を描くことができる。
【００１９】
もちろん、水筆ペン１は、水筆用紙（水書半紙を含む。）に文字を書く用途にも使用可能である。また、本実施形態における水５１は、一般的な水道水であればよく、水性着色剤等を含む水性絵具であってもよい。このように本実施形態の水筆ペン１は非常に利便性の高い画材である。
【００２０】
２．水筆ペン１の構造
＜水筆ペン１の構成＞
続いて、水筆ペン１の構造について詳細に説明する。図１に示すとおり、本実施形態の水筆ペン１は、ペンの本体で水５１を貯留する中空筒体３、中空筒体３の後端に配設されて使用者が水５１の出水操作を行う操作部５、中空筒体３の先端に配設されて水５１の供給を受けつつ水性着色剤等を紙に塗布する穂先７、及び、穂先７を中空筒体３に固定する穂先固定具２１の、概ね４つの部品で構成されている。なお、図１に示すように、本実施形態では水筆ペン１の軸方向をＸで表し、軸方向における先端側をＦ、後端側をＲとして説明する。
【００２１】
＜中空筒体３の構造＞
次に、図２（ａ）（ｂ）（ｃ）を用いて中空筒体３の構造について詳細に説明する。図２（ａ）（ｂ）（ｃ）は、中空筒体３の構造を示す図であって、図２（ａ）は、中空筒体３を軸方向Ｘに切断した断面図であり、図２（ｂ）は、図２（ａ）に示す矢視Ａの側面図であり、図２（ｃ）は、図２（ａ）に示す矢視Ｂの側面図である。中空筒体３は、水筆ペン１の本体部であって、他部品はこの中空筒体３に配設される。また、使用者はこの中空筒体３を把持して操作を行う。
【００２２】
図２（ａ）（ｂ）（ｃ）に示すとおり、中空筒体３は樹脂等を用いて所定の長さ寸法を有する略円筒状に形成された部品である。本実施形態では断面形状を略円形に形成しているが、必ずしもこれに限定されるものではなく、例えば使用者の把持性を向上するために多角形や人間工学に基づいた湾曲部分を有する形状にしてもよい。また、この中空筒体３は、内部に中空の水貯留部９を備えており、当該水貯留部９に水５１を所定量貯留することができる。
【００２３】
中空筒体３は、後端側Rに位置する開口１９、先端側Fに位置する通水孔１５、及び開口１９と通水孔１５との間に位置する水貯留部９を備える。より具体的に説明すると、先端側Ｆには、軸方向Ｘとは略直交に形成された先端縁２７が形成されており、この先端縁２７は穂先７に当接する。また、先端縁２７の内側の端縁は、縮径しつつ後端側Ｒの内部に突出した（即ち先端から後端に向けて）略円錐形部１７が形成されている。更に、この略円錐形部１７の後端側Ｒに対向する端部中心（先端）には、略円形の通水孔１５が形成されており、この通水孔１５を介して先端側Ｆの外部と水貯留部９とを連通している。なお、略円錐形部１７を中空筒体３とは別の部品とし、組み立てることで中空筒体３と一体的に構成可能な構造としてもよく、更に、略円錐形部１７の先端側Ｆには、略円筒形部を設けてもよい。
【００２４】
略円錐形部１７は、先端縁２７と通水孔１５との軸方向Ｘの距離Ｄ１が１ｍｍ〜１０ｍｍ（更に好ましくは３ｍｍ〜１０ｍｍ）の範囲となるように形成することが望ましい。これにより、穂先７を中空筒体３に接続した際、穂先７の後端と通水孔１５との間が好適に離間し、水貯留部９に貯留した水５１が穂先７の後端に直接接触しないため、穂先７に対して意図しない水５１の供給や、穂先７から水貯留部９への水５１の逆流を防止できる。なお、水貯留部９から穂先７をみた場合には、水貯留部９の先端側Fに水溜部が位置することになり、穂先７に水が過度に供給されることも防止できる。
【００２５】
また、中空筒体３の先端側Ｆには、外径を所定量縮径させる第一段差２３が形成されており、穂先７を中空筒体３に接続する際に用いる穂先固定具２１と嵌合する。第一段差２３の高さ寸法及び長さ寸法は、穂先固定具２１の各部の寸法に応じて適宜決定すればよい。
【００２６】
後端側Ｒには、開口１９が形成されており、この開口１９を介して後端側Ｒの外部と、水貯留部９と、を連通している。また、中空筒体３の後端側Ｒには、水貯留部９の内径を所定量拡幅させる第二段差２５が形成されており、操作部５がこの第二段差２５に嵌合することで中空筒体３に対して操作部５が接続される。第二段差２５の高さ寸法及び長さ寸法は、操作部５の各部の寸法に応じて適宜決定すればよい。
【００２７】
中空筒体３の内部に形成された水貯留部９は、先端側Ｆから後端側Ｒにかけて形成されており、上述のとおり先端側Ｆは通水孔１５を介して外部と連通し、後端側Ｒは開口１９を介して外部と連通している。なお、水貯留部９の直径θ２は、後端側Ｒの第二段差２５の部位以外はどの位置でも概ね同じ寸法とすることが望ましい。
【００２８】
通水孔１５の直径θ１は、この水貯留部９の直径θ２の１０％〜４０％の範囲で形成することが望ましく、より好ましくは１０％〜３０％の範囲で形成することが望ましい。これにより、通水孔１５から空気が容易に水貯留部９内に侵入できないため、操作部５が閉弁状態であれば、水貯留部９に貯留した水５１が通水孔１５から外部への漏水を好適に防止することができる。なお、本実施形態では、水貯留部９の直径θ２を８．５ｍｍとし、これに対して通水孔１５の直径θ１を２．５〜３ｍｍ（より好ましくは２．５ｍｍ）の範囲で形成することで、水貯留部９から外部への水５１の漏水を完全に防止している。
【００２９】
＜穂先固定具２１の構造＞
次に、図３（ａ）及び（ｂ）を用いて穂先固定具２１の構造について詳細に説明する。図３（ａ）及び（ｂ）は、穂先固定具２１の構造を示す図であって、図３（ａ）は、穂先固定具２１を軸方向Ｘに切断した断面図であり、図３（ｂ）は、図３（ａ）に示す矢視Ｃの側面図である。穂先固定具２１は、中空筒体３の先端側Ｆに穂先７を固定するための部品である。
【００３０】
図３（ａ）及び（ｂ）に示すとおり、穂先固定具２１は樹脂等で略円筒状に形成された部品であって、先端側Ｆに穂先７を通す挿通孔３１及び穂先７を中空筒体３側に押圧する固定リブ２９が形成されている。また、後端側Ｒには中空筒体３の先端側Ｆに挿入して第一段差２３と嵌合する固定開口３３が形成されている。なお、穂先固定具２１の内径は中空筒体３の直径及び第一段差２３の直径に応じ、双方の部品が適切に嵌合するよう適宜決定することが望ましい。
【００３１】
＜穂先７の構造＞
続いて、図４（ａ）及び（ｂ）を用いて穂先７の構造について詳細に説明する。図４（ａ）及び（ｂ）は、穂先７の構造を示す図であって、図４（ａ）は、穂先７の軸方向Ｘの断面図であり、図４（ｂ）は、図４（ａ）に示す矢視Ｄの側面図である。穂先７は、中空筒体３に配設されて水５１の供給を受けつつ水性着色剤等を紙に塗布するための部品である。
【００３２】
穂先７は、中空筒体３の先端側Fに配設され、水貯留部９からの水を供給するためのものであり、化学繊維又は動物の体毛等の天然繊維を用いて構成された部品である。図４（ａ）及び（ｂ）に示すとおり、後端側Ｒから先端側Ｆに向かって筆先を形成しており、絵画や習字等に使用する一般的な筆の先端形状を有している。また、後端側Ｒには、中空筒体３の先端縁２７と当接する平滑部３５が形成されている。
【００３３】
図４（ｂ）に示すとおり、平滑部３５は略円形の平面形状を有しており、穂先固定具２１の内径と略同寸法の直径で形成されている。これにより、穂先固定具２１を用いて穂先７を中空筒体３に固定した際、穂先７の先端のみが穂先固定具２１の挿通孔３１から外部に突出し、平滑部３５が固定リブ２９と中空筒体３の先端縁２７とに挟持されて、中空筒体３に穂先７を強固に固定することができる。
【００３４】
穂先７は、一般的な筆の穂先と同様に、例えば合成樹脂の毛を束ねて加熱で根元近傍を溶融して固化し、後端側Ｒ（特に平滑部３５）に鍔を具備する構成としてもよく、また、でんぷん等の天然材料や水溶性の合成樹脂を用いて構成した糊で全体の形状を整え、後端側Ｒ（特に平滑部３５）が固化した構成としてもよい。なお、平滑部３５を除く穂先７の各部の寸法は水筆ペン１の用途（太描き用や細描き用等）に応じて任意に決定することができる。
【００３５】
＜パッキン４４の構造＞
次に、図１１を用いてパッキン４４の構造について詳細に説明する。図１１（ａ）及び（ｂ）は、パッキン４４の構造を示す図であって、図１１（ａ）は、パッキン４４の穂先７側から見た平面図であり、図１１（ｂ）は、図１１（ａ）に示す矢視Ｅの断面図である。パッキン４４は、穂先７が具備する平滑部３５に当接する部品であって、中空筒体３と穂先７との間で水５１及び空気の移動を補助するものである。
【００３６】
パッキン４４は、例えば樹脂で形成された略円環状の部品であって、図１１（ａ）及び（ｂ）に示すとおり、概ね、中空筒体３と当接する天面４６と、穂先７と当接する底面４５と、天面４６と底面４５とを連通する貫通孔４７と、底面４５と貫通孔４７と側面とを連通して切り欠いたスリット４８と、を具備している。
【００３７】
パッキン４４の各部のサイズは、本発明の効果を損なわない範囲で、穂先７の平滑部３５のサイズや中空筒体３のサイズに応じて適宜決定すればよい。もっとも、本実施形態ではパッキン４４を具備した構成を代表して説明しているが、本発明に係る水筆ペンは、このパッキン４４を省略した構成を有していてもよい。
【００３８】
＜操作部５の構造＞
次に、図５（ａ）及び（ｂ）を用いて操作部５の構造について詳細に説明する。図５（ａ）及び（ｂ）は、操作部５の構造を示す図であって、図５（ａ）は、軸方向Ｘに切断した閉弁状態の操作部５の断面図であり、図５（ｂ）は、軸方向Ｘに切断した開弁状態の操作部５の断面図である。操作部５は、中空筒体３の後端に位置する開口１９に配設され、ノックにより開閉自在なバルブ機構を有するものであり、水貯留部９の後端側Ｒの空気弁の役割を担う部品である。
【００３９】
図５（ａ）及び（ｂ）に示すとおり、操作部５は使用者が直接押圧して操作するノック１１と、このノック１１の操作により開弁及び閉弁状態を切替自在に構成されたバルブ機構１３と、から構成されている。また、バルブ機構１３は、先端側Ｆと後端側Ｒとを連通する空気穴３９を具備した第一部品１３Ａと、ノック１１の先端側Ｆに接続されて、第一部品１３Ａの空気穴３９を軸方向Ｘに移動して開弁及び閉弁を行う第二部品１３Ｂと、から構成されている。
【００４０】
上述のとおり、第一部品１３Ａは略円筒状で内部に空気穴３９を備えており、この空気穴３９に第二部品１３Ｂが挿通されている。第二部品１３Ｂの先端側Ｆは、空気穴３９の先端側Ｆの形状と相似形であって、空気穴３９の先端側Ｆより大きな寸法で形成されていることが望ましい。また、ノック１１の内部には軸方向Ｘに伸縮するスプリング４１が備わっており、このスプリング４１の先端側Ｆが第一部品１３Ａの後端側Ｒに当接している。
【００４１】
操作部５が上記構造のバルブ機構１３を有することにより、ノック１１に力を付加していない状態では、第二部品１３Ｂが後端側Ｒに移動するため、第一部品１３Ａの空気穴３９に第二部品１３Ｂが嵌合して操作部５が閉弁状態となる。また、ノック１１に力を付加した状態では、第二部品１３Ｂが先端側Ｆに移動するため、第二部品１３Ｂが先端側Ｆに移動して空気穴３９との勘合が解除され、操作部５が開弁状態となる。
【００４２】
なお、本実施形態では上述の構造を有する操作部５を用いているが、必ずしもこれに限定されるものではなく、上述のバルブ機構１３と略同様の機構を有する構造であれば他の構造を備える操作部を用いてもよい。
【００４３】
第一部品１３Ａは縁に円環状リブ４３を備えており、この円環状リブ４３が中空筒体３の第二段差２５と係止して操作部５が中空筒体３と接続する。また、ノック１１に力を付加しても円環状リブ４３によって第一部品１３Ａが固定されているため、第二部品１３Ｂのみを軸方向Ｘに移動させることができる。
【００４４】
＜各部品の組み立て＞
次に、図６と、図７（ａ）及び（ｂ）と、を用いて上述した各部品の組み立て方法について詳細に説明する。図６は、中空筒体３と操作部５との接続方法を示す模式図である。図７（ａ）及び（ｂ）は、中空筒体３に穂先固定部２１を用いて穂先７を固定する方法を示す図であって、図７（ａ）は、穂先固定部２１に穂先７を挿通する状態を示す模式図であり、図７（ｂ）は、穂先７を挿通させた穂先固定部２１を中空筒体３に接続する状態を示す模式図である。
【００４５】
まず、中空筒体３の後端側Ｒに操作部５を接続する。図６に示すとおり、中空筒体３及び操作部５を軸方向Ｘに並べつつ、中空筒体３の開口１９に操作部５のバルブ機構１３が対向するよう配置する。次に、中空筒体３の開口１９から操作部５のバルブ機構１３を挿入し、第一部品１３Ａの円環状リブ４３を第二段差２５に確実に係止させる。
【００４６】
続いて、穂先７及び穂先固定具２１を中空筒体３の先端側Ｆに接続する。図７（ａ）に示すとおり、穂先７及び穂先固定具２１を軸方向Ｘに並べつつ、穂先固定具２１の固定開口３３から穂先７を挿入して挿通孔３１から穂先７の先端側Ｆを外部に挿通する。次に図７（ｂ）に示すとおり、穂先固定具２１の固定開口３３に、パッキン４４を挿入し、更に中空筒部３の先端側Ｆを挿入する。穂先固定具２１の内径と中空筒部３の第一段差２３の外径とを嵌合させつつ、穂先固定具２１の固定リブ２９の内側と、中空筒体３の先端縁２７と、で穂先７の平滑部３５を挟持して穂先７を中空筒体３の先端側Ｆに固定する。なお、パッキン４４は、穂先７の平滑部３５に底面４５を当接し、中空筒体３の先端側Ｆに天面４６を当接する。
【００４７】
３．水筆ペン１の使用方法
次に、図８（ａ）及び（ｂ）と、図９（ａ）及び（ｂ）と、を用いて本実施形態の水筆ペン１の使用方法について詳細に説明する。図８（ａ）及び（ｂ）は、本実施形態の水筆ペン１の使用方法を示す図であって、図８（ａ）は、中空筒体３から穂先７を外して水５１に先端側Ｆを浸す状態を示す模式図であり、図８（ｂ）は、水貯留部９に水５１を充填する状態を示す模式図である。
【００４８】
また、図９（ａ）及び（ｂ）は、本実施形態の水筆ペン１の使用方法を示す図であって、図９（ａ）は、水５１を充填した中空筒体３の先端側Fに穂先７を固定する状態を示す模式図であり、図９（ｂ）は、操作部５のノック１１に力を付加して穂先７に水５１を供給する状態を示す模式図である。なお、この説明では容器５３に入れた水５１を水筆ペン１に充填する。
【００４９】
図８（ａ）に示すとおり、まず水筆ペン１の中空筒体３から穂先７及び穂先固定具２１を取り外し、操作部５のノック１１に力を付加することでバルブ機構１３を開弁状態にして中空筒体３の先端部Ｆを容器５３内に挿入する。続いて、図８（ｂ）に示すとおり、中空筒体３の水貯留部９に容器５３内の水５１が充填されたことを確認した後、ノック１１への力の付加を止めてバルブ機構１３を閉弁状態にした後、徐々に容器５３内から中空筒体３を上方に引き上げる。
【００５０】
図９（ａ）に示すとおり、バルブ機構１３の作用で中空筒体３の水貯留部９に水５１が充填された状態で内部に留まり、この状態で穂先７及び穂先固定具２１を中空筒体３の先端部Ｆに接続する。上記手順を全て完了することにより、本実施形態の水筆ペン１の使用準備が完了する。なお、図９（ｂ）に示すとおり、ノック１１に力を付加することによりバルブ機構１３が再び開弁状態となるため、水貯留部９に充填された水５１が通水孔１５から外部に出水し、穂先７に供給して使用することができる。
【００５１】
このような構成を有する水筆ペン１において、通水孔１５から穂先７へ向かう水５１は、まず平滑部３５に当たり、パッキン４４のスリット４８から、固定リブ２９の内壁を伝って穂先７に向かい、更に、穂先７の根元周囲から穂先７全体に含まれて先端へと向かう。この際、空気と水５１の交換を好適に行え、穂先７への水５１の供給をスムーズに行うことができる。なお、上述のとおり、水筆ペン１は必ずしもパッキン４４を具備していなくてもよく、パッキン４４を省略した場合、通水孔１５を通過した水５１が穂先の平滑部３５全面に接触し、穂先７全体に含まれて先端へと向かう。
【００５２】
上記バルブ機構１３の構造から、ノック１１への力の付加時間（開弁時間）に応じて水貯留部９内の水５１が外部に出水されるため、使用者は簡便な操作によって穂先７に所望量の水５１を供給することができる。
【００５３】
以上、本発明の代表的な実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれる。
【００５４】
例えば、図１０に示すような中空筒体１０３を用いて構成した変形例が考えられる。図１０（ａ）（ｂ）（ｃ）は、中空筒体１０３の構造を示す図であって、図１０（ａ）は、軸方向Ｘに切断した中空筒体１０３の断面図であり、図１０（ｂ）は、図１０（ａ）に示す矢視Ｅの側面図であり、図１０（ｃ）は、図１０（ａ）に示す矢視Ｆの側面図である。変形例に用いる中空筒体１０３では、他の部品（上述した水筆ペン１では穂先固定具２１）を用いずに穂先を直接中空筒体１０３で支持することが可能になる。
【００５５】
図１０（ａ）（ｂ）（ｃ）に示すとおり、中空筒体１０３は、先端側Ｆに穂先支持穴１０４を具備しており、最奥（後端側Ｒ）に壁部１１７を形成している。また、この壁部１１７の略中心には通水孔１１５が形成されており、水貯留部１０９に充填した水５１を先端側Ｆ外部に出水することができる。なお、通水孔１１５の直径θ１０は、水貯留部１０９の直径θ２０に対して１０％〜４０％の範囲（より好ましくは１０％〜３０％の範囲）で形成することが好ましく、壁部１１７の厚さ寸法Ｄ１０は、１ｍｍ〜１０ｍｍの範囲（より好ましくは３ｍｍ〜１０ｍｍの範囲）で形成することが望ましい。また、中空筒体１０３の先端側Ｆから壁部１１７までの離間距離と、穂先支持穴１０４の直径と、は使用する穂先のサイズに応じて決定する。
【００５６】
上記構造を有する中空筒体１０３は、穂先支持穴１０４に対して穂先の平滑部を後端側Ｒに対向させつつ挿入することで、穂先を接続することができる。また、中空筒体１０３を用いることによって、部品数を減らし構造を更にシンプルにすることが可能となる。更に、水５１の充填時における穂先の着脱を簡便化することができる。
【産業上の利用可能性】
【００５７】
本発明の水筆ペンは、簡便な操作でバルブ機構を開閉して中空筒部の水貯留部内に水を充填し、更に穂先に水を容易に供給することができるものである。
【符号の説明】
【００５８】
１        水筆ペン
３        中空筒体
５        操作部
７        穂先
９        水貯留部
１１      ノック
１３      バルブ機構
１５      通水孔
１７      略円錐形部
１９      開口
２１      穂先固定具
２３      第一段差
２５      第二段差
２７      先端縁
２９      固定リブ
３１      挿通孔
３３      固定開口
３５      平滑部
３９      空気穴
４１      スプリング
４３      円環状リブ
４４      パッキン
４５      底面
４６      天面
４７      貫通孔
４８      スリット
５１      水
５３      容器
１０３    中空筒体
１０４    穂先支持穴
１０９    水貯留部
１１５    通水孔
１１７    壁部
θ１      直径
θ２      直径
θ１０    直径
θ２０    直径
Ｄ１      距離
Ｄ１０    厚さ寸法
【図１】
2019209531.tif 000003
【図２】
2019209531.tif 000004
【図３】
2019209531.tif 000005
【図４】
2019209531.tif 000006
【図５】
2019209531.tif 000007
【図６】
2019209531.tif 000008
【図７】
2019209531.tif 000009
【図８】
2019209531.tif 000010
【図９】
2019209531.tif 000011
【図１０】
2019209531.tif 000012
【図１１】
2019209531.tif 000013